(57)【特許請求の範囲】
【請求項１】
入力信号を供給する第１の信号路と、
電圧を供給する第１の電源路と、
上記第１の信号路を介して上記入力信号が供給され、上記電源路を介して上記電圧が供給されると共に、外部機器に上記電圧が重畳された上記入力信号を送信するコネクタと、
上記第１の電源路に挿入された第１の電源スイッチと、
上記コネクタにおける上記電圧が重畳された上記入力信号の振幅を検出する振幅検出器と、
入力信号を供給する第２の信号路と、
電圧を供給する第２の電源路と、
上記第２の電源路に挿入された第２の電源スイッチと、
上記第２の電源路を介して供給される上記電圧を電源とし、上記第２の信号路からの入力信号に対応する出力信号を送信する信号送信部と、
上記振幅検出器の検出出力に基づいて、少なくとも、上記コネクタに上記外部機器が接続されていない第１の状態および上記コネクタに上記外部機器が接続されている第２の状態のいずれの接続状態にあるかを判定し、該接続状態に応じて、上記第１及び第２の電源スイッチをオンとオフとに切り換える制御部とを備える電子機器。
【請求項２】
上記制御部は、さらに、上記コネクタが短絡されている第３の状態にあるか否かを判定し、上記第３の状態にあると判定するとき、短絡異常の警告を報知するように報知部を制御する請求項１に記載の電子機器。
【請求項３】
上記信号送信部は無線で上記出力信号の送信が可能である請求項１に記載の電子機器。
【請求項４】
上記制御部は、上記接続状態が上記第１の状態にあると判定するとき、上記第１の電源スイッチをオフとし、上記第２の電源スイッチをオンとする請求項１に記載の電子機器。
【請求項５】
上記制御部は、上記接続状態が上記第２の状態にあると判定するとき、上記第１の電源スイッチをオンとし、上記第２の電源スイッチをオフとする請求項１に記載の電子機器。
【請求項６】
上記制御部は、さらに、上記コネクタが短絡されている第３の状態にあるか否かを判定し、上記第３の状態にあると判定するとき、上記第１の電源スイッチをオフとし、上記第２の電源スイッチを短絡前の状態で保持する請求項１に記載の電子機器。
【請求項７】
送信装置と送信ユニットからなる送信システムにおいて、
上記送信装置は、
入力信号を供給する第１の信号路と、
電圧を供給する第１の電源路と、
上記第１の信号路より上記入力信号が供給され、上記第１の電源路を介して上記電圧が供給されるコネクタと、
上記第１の電源路に挿入された第１の電源スイッチと、
上記コネクタにおける信号の振幅を検出する振幅検出器と、
入力信号を供給する第２の信号路と、
電圧を供給する第２の電源路と、
上記第２の電源路に挿入された第２の電源スイッチと、
上記第２の電源路を介して供給される上記電圧を電源とし、上記第２の信号路からの入力信号に対応する出力信号を送信する第２の信号送信部と、
上記振幅検出器の検出出力に基づいて、少なくとも、上記コネクタに上記送信ユニットが接続されていない第１の状態および上記コネクタに上記送信ユニットが接続されている第２の状態のいずれの接続状態にあるかを判定し、該接続状態に応じて、上記第１及び第２の電源スイッチをオンとオフとに切り換える制御部とを備え、
上記送信ユニットは、
上記電圧が重畳された上記入力信号を上記送信装置の上記コネクタより受け取り、上記入力信号に対応する出力信号を送信する第１の信号送信部を備える送信システム。
【請求項８】
上記制御部は、さらに、上記コネクタが短絡されている第３の状態にあるか否かを判定し、上記第３の状態にあると判定するとき、短絡異常の警告を報知するように報知部を制御する請求項７に記載の送信システム。
【請求項９】
上記第１の信号送信部及び上記第２の信号送信部は無線で上記出力信号の送信が可能である請求項７に記載の送信システム。
【請求項１０】
上記制御部は、上記接続状態が上記第１の状態にあると判定するとき、上記第１の電源スイッチをオフとし、上記第２の電源スイッチをオンとする請求項７に記載の送信システム。
【請求項１１】
上記制御部は、上記接続状態が上記第２の状態にあると判定するとき、上記第１の電源スイッチをオンとし、上記第２の電源スイッチをオフとする請求項７に記載の送信システム。
【請求項１２】
上記制御部は、さらに、上記コネクタが短絡されている第３の状態にあるか否かを判定し、上記第３の状態にあると判定するとき、上記第１の電源スイッチをオフとし、上記第２の電源スイッチを短絡前の状態に保持する請求項７に記載の送信システム。
【請求項１３】
電圧の重畳させた入力信号を電子機器のコネクタを介して外部機器に供給すると共に上記入力信号に対応する出力信号を送信する第２の信号送信部を有する電子機器において、該コネクタと該外部機器の接続状態を判定する接続状態判定方法であって、
コネクタにおける上記電圧の重畳させた入力信号の振幅を検出する検出ステップと、
上記検出ステップで検出された上記振幅に基づいて、少なくとも、外部機器がコネクタに接続されていない第１の状態と外部機器がコネクタに接続されている第２の状態のいずれの接続状態であるかを判定する判定ステップと、
上記接続状態に応じて、上記コネクタと上記第２の信号送信部への電圧の供給を制御するステップとを有する接続状態判定方法。
【請求項１４】
上記判定ステップにより上記第１の状態にあると判定されたとき、上記コネクタに電圧を供給しないように制御すると共に上記入力信号に対応する出力信号を上記電子機器の第２の信号送信部から出力するステップ
をさらに有する請求項１３に記載の接続状態判定方法。
【請求項１５】
上記判定ステップにより上記第２の状態にあると判定されたとき、上記コネクタに電圧を供給するように制御すると共に上記入力信号に対応する出力信号を上記外部機器の第１の信号送信部から出力するステップ
をさらに有する請求項１３に記載の接続状態判定方法。
【請求項１６】
上記判定ステップは、さらに、上記コネクタが短絡されている第３の状態にあるか否かを判定し、
上記判定ステップにより上記第３の状態にあると判定されたとき、上記コネクタに電圧を供給しないように制御する電圧制御ステップ
をさらに有する請求項１３に記載の接続状態判定方法。
【請求項１７】
上記判定ステップは、さらに、上記コネクタが短絡されている第３の状態にあるか否かを判定し、
上記判定ステップにより上記第３の状態にあると判定されたとき、短絡異常の警告を報知する異常報知ステップ
をさらに有する請求項１３に記載の接続状態判定方法。
【発明の詳細な説明】
【技術分野】
【０００１】
この発明は、外部機器を接続するコネクタを備え、このコネクタから外部機器に電圧の重畳された信号を供給するようにした電子機器と、その外部機器や電子機器にそれぞれ信号送信部を持たせ、入力信号に対応する出力信号を信号送信部より送信する送信システムと、電子機器のコネクタと外部機器との接続状態を判定する接続状態判定方法とに関する。
【０００２】
詳しくは、この発明は、コネクタにおける信号の振幅を検出し、この振幅に基づいて、少なくとも、コネクタに外部機器が接続されているかいないかを判定する。さらに、接続状態に応じてコネクタに電圧を出力するかしないかを制御する。従って、外部機器の未接続時に、コネクタの短絡によって短絡保護回路の動作、ＲＦ遮断インダクタの焼損、プリント基板パターンの焼損等の破壊故障が発生することを回避するようにした電子機器等に係るものである。
【背景技術】
【０００３】
図６は、従来の赤外線光送信装置２００Ａを示している。この赤外線光送信装置２００Ａは、例えば赤外線発光ダイオード等から構成される、赤外線信号ＳＩＲを出力する赤外線光送信部２０１を備えていると共に、赤外線光送信部３０１を持つ赤外線光送信ユニット３００を接続するコネクタ（図６には図示せず）を備えている。
【０００４】
この場合、赤外線光送信ユニット３００に接続された接続ケーブル３０２の先端に接続されたコネクタ（プラグ）３０３が、赤外線光送信装置２００Ａのコネクタ（ジャック）に接続されることで、赤外線光送信装置２００Ａから赤外線光送信ユニット３００に、電源直流電圧が重畳された変調ＲＦ信号が供給され、赤外線光送信部３０１から変調ＲＦ信号に対応した赤外線信号ＳＩＲが出力される状態となる。
【０００５】
図７は、赤外線光送信装置２００Ａおよび赤外線光送信ユニット３００の回路構成を示している。
【０００６】
赤外線光送信装置２００Ａの回路構成を説明する。
【０００７】
図示しない電源回路で得られる例えば１２Ｖの電源直流電圧ＤＣ１はレギュレータ２０２に供給され、このレギュレータ２０２からは例えば９Ｖの安定化された電源直流電圧ＤＣ２が得られる。
【０００８】
レギュレータ２０２の出力側は、赤外線発光ダイオード２０３(1,1)〜２０３(n,1)の直列回路を介してドライブ用のＮＰＮ形トランジスタ２０４(1)のコレクタに接続され、このトランジスタ２０４(1)のエミッタは接地されている。また、レギュレータ２０２の出力側は、赤外線発光ダイオード２０３(1,m)〜２０３(n,m)の直列回路を介してドライブ用のＮＰＮ形トランジスタ２０４(m)のコレクタに接続され、このトランジスタ２０４(m)のエミッタは接地されている。ここで、例えばｎ＝３、ｍ＝４とされる。そして、ｎ×ｍ個の赤外線発光ダイオード２０３(1,1)〜２０３(n,m)により、赤外線光送信部２０１が構成されている。
【０００９】
図示しない変調回路で得られる変調ＲＦ信号ＭＲＦはアンプ２０５で増幅される。このアンプ２０５の出力側はトランジスタ２０４(1)〜２０４(m)のそれぞれのベースに接続される。ここで、変調ＲＦ信号ＭＲＦは、例えば、搬送波を音声データあるいは画像データ等でデジタル変調することで得られたものであり、振幅一定とされている。
【００１０】
また、図示しない変調回路で得られる変調ＲＦ信号ＭＲＦは、アンプ２０６で増幅される。このアンプ２０６の出力側は、出力抵抗２０７および直流遮断コンデンサ２０８の直列回路を介してコネクタ（ジャック）２０９に接続される。また、上述のレギュレータ２０２の出力側は、ＲＦ遮断インダクタ２１０を介してコネクタ２０９に接続される。
【００１１】
この赤外線光送信装置２００Ａの動作を説明する。
【００１２】
レギュレータ２０２で得られる安定化された電源直流電圧ＤＣ２は、赤外線光送信部２０１に電源として供給される。また、変調回路で得られる変調ＲＦ信号ＭＲＦはアンプ２０５で増幅された後にトランジスタ２０４(1)〜２０４(m)のベースにドライブ信号として供給される。これにより、ダイオード２０３(1,1)〜２０３(n,m)は変調ＲＦ信号ＭＲＦに対応して発光し、赤外線光送信部２０１から変調ＲＦ信号ＭＲＦに対応した赤外線信号ＳＩＲが出力される。
【００１３】
変調回路で得られる変調ＲＦ信号は、アンプ２０６で増幅された後に、出力抵抗２０７および直流遮断コンデンサ２０８の直列回路を介してコネクタ２０９に供給される。また、レギュレータ２０２で得られる安定化された電源直流電圧ＤＣ２は、ＲＦ遮断インダクタ２１０介してコネクタ２０９に供給される。これにより、コネクタ２０９には、電源直流電圧ＤＣ２が重畳された変調ＲＦ信号ＭＲＦが出力される。
【００１４】
赤外線光送信ユニット３００の回路構成を説明する。
【００１５】
接続ケーブル３０２の、コネクタ３０３が接続されている端部とは逆の端部は、ＲＦ遮断インダクタ３０４の一端に接続される。このＲＦ遮断インダクタ３０４の他端は、赤外線発光ダイオード３０５(1,1)〜３０５(n,1)の直列回路を介してドライブ用のＮＰＮ形トランジスタ３０６(1)のコレクタに接続され、このトランジスタ３０６(1)のエミッタは接地されている。また、ＲＦ遮断インダクタ３０４の他端は、赤外線発光ダイオード３０５(1,m)〜３０５(n,m)の直列回路を介してドライブ用のＮＰＮ形トランジスタ３０６(m)のコレクタに接続され、このトランジスタ３０６(m)のエミッタは接地されている。ここで、例えばｎ＝３、ｍ＝４とされる。そして、ｎ×ｍ個の赤外線発光ダイオード３０５(1,1)〜３０５(n,m)により、赤外線光送信部３０１が構成されている。
【００１６】
また、接続ケーブル３０２の、コネクタ３０３が接続されている端部とは逆の端部は、直流遮断コンデンサ３０７および入力抵抗３０８の直列回路を介して接地され、このコンデンサ３０７および抵抗３０８の互いの接続点はアンプ３０９を介してトランジスタ３０６(1)〜３０６(m)のそれぞれのベースに接続される。
【００１７】
この赤外線光送信ユニット３００の動作を説明する。
【００１８】
コネクタ（プラグ）３０３が赤外線光送信装置２００Ａのコネクタ（ジャック）２０９に接続された場合、接続ケーブル３０２の、コネクタ３０３が接続されている端部とは逆の端部には、電源直流電圧ＤＣ２が重畳された変調ＲＦ信号ＭＲＦが得られる。そのため、ＲＦ遮断インダクタ３０４の他端には電源直流電圧ＤＣ２が得られる。この電源直流電圧ＤＣ２は赤外線光送信部３０１に電源として供給される。
【００１９】
また、直流遮断コンデンサ３０７および入力抵抗３０８の互いの接続点には、変調ＲＦ信号ＭＲＦが得られる。この変調ＲＦ信号ＭＲＦはアンプ３０９で増幅された後にトランジスタ３０６(1)〜３０６(m)のベースにドライブ信号として供給される。これにより、ダイオード３０５(1,1)〜３０５(n,m)は変調ＲＦ信号ＭＲＦに対応して発光し、赤外線光送信部３０１から変調ＲＦ信号ＭＲＦに対応した赤外線信号ＳＩＲが出力される。
【００２０】
図８は、従来の赤外線光送信装置２００Ｂを示している。この赤外線光送信装置２００Ｂは、赤外線光送信ユニット３００を接続するコネクタ（図８には図示せず）を備えているが、上述した赤外線光送信装置２００Ａとは異なり、赤外線信号ＳＩＲを出力する赤外線光送信部を備えていない。
【００２１】
この場合、赤外線光送信ユニット３００に接続ケーブル３０２が接続され、接続ケーブルの先端に接続されたコネクタ（プラグ）３０３が、赤外線光送信装置２００Ｂのコネクタ（ジャック）に接続される。このようにすることで、赤外線光送信装置２００Ｂから赤外線光送信ユニット３００に、電源直流電圧が重畳された変調ＲＦ信号が供給される。そして、赤外線光送信部３０１から変調ＲＦ信号に対応する赤外線信号ＳＩＲが出力される状態となる。
【００２２】
図９は、赤外線光送信装置２００Ｂおよび赤外線光送信ユニット３００の回路構成を示している。
【００２３】
赤外線光送信装置２００Ｂの回路構成を説明する。この赤外線光送信装置２００Ｂは、上述した赤外線光送信装置２００Ａにおいて赤外線発光ダイオード２０３(1,1)〜２０３(n,m)、トランジスタ２０４(1)〜２０４(m)、およびアンプ２０５の部分が除かれたものと同じ構成である。
【００２４】
この赤外線光送信装置２００Ｂの動作を説明する。図示しない変調回路で得られる変調ＲＦ信号は、アンプ２０６で増幅された後に、出力抵抗２０７および直流遮断コンデンサ２０８の直列回路を介してコネクタ２０９に供給される。また、レギュレータ２０２で得られる安定化された電源直流電圧ＤＣ２は、ＲＦ遮断インダクタ２１０介してコネクタ２０９に供給される。これにより、コネクタ２０９には、電源直流電圧ＤＣ２が重畳された変調ＲＦ信号ＭＲＦが出力される。
【００２５】
赤外線光送信ユニット３００の回路構成は上述した通りである。そのため、コネクタ３０３が赤外線光送信装置２００Ｂのコネクタ２０９に接続された場合、接続ケーブル３０２の、コネクタ３０３が接続されている端部とは逆の端部には、電源直流電圧ＤＣ２が重畳された変調ＲＦ信号ＭＲＦが得られる。そのため、赤外線光送信部３０１から変調ＲＦ信号ＭＲＦに対応した赤外線信号ＳＩＲが出力される。
【００２６】
図６、図７に示す赤外線光送信装置２００Ａ、および図８、図９に示す赤外線光送信装置２００Ｂにおいては、赤外線光送信ユニット３００が接続されていない場合であっても、レギュレータ２０２で得られる電源直流電圧ＤＣ２がコネクタ２０９に出力されている。そのため、短絡によって、レギュレータ２０２が備える短絡保護回路の動作、ＲＦ遮断インダクタ２１０の焼損、プリント基板パターンの焼損等の破壊故障が発生するおそれがある。
【００２７】
また、図６、図７に示す赤外線光送信装置２００Ａにおいては、赤外線光送信ユニット３００が接続されている場合であっても、赤外線光送信部２０１から変調ＲＦ信号ＭＲＦに対応した赤外線信号ＳＩＲが出力されており、無駄に電力を消費し、また赤外線光送信部２０１の劣化を促進させている。
【００２８】
特許文献１には、ビデオ信号やオーディオ信号を光信号に変換して空間伝送する装置において、光信号の伝送が必要なときのみ発光手段を駆動し消費電力を節約する光信号伝送装置が記載されている。例えば、出力端子にＡＶピンプラグが接続されているとき、ＶＴＲブロックの再生信号はＡＶピンプラグにより外部へ出力されるが、このときマイクロコンピュータが赤外線伝送用変調器および発光部に対して駆動電圧をオフにするための電源コントロール信号を供給する。
【００２９】
【特許文献１】特開平８−２８８９０９号公報
【発明の開示】
【発明が解決しようとする課題】
【００３０】
特許文献１に記載される発明では、例えばＡＶピンプラグの抜き差しを機械的に検出するようになっているが、その場合には電気的接続がなされたかを確実に検出できず、ＶＴＲブロックの再生信号がＡＶピンプラグにより外部へ出力されていない状態で、マイクロコンピュータが赤外線伝送用変調器および発光部に対して駆動電圧をオフにするコントロール信号を供給するおそれがある。また、この特許文献１には、コネクタに電源直流電圧が重畳された変調ＲＦ信号を出力するものにあって、このコネクタへの赤外線光送信ユニットの接続、非接続に応じて、コネクタへの電源直流電圧をどのように制御するかについては何等記載されていない。
【００３１】
この発明の目的は、外部機器の未接続時に、コネクタの短絡によって短絡保護回路の動作、ＲＦ遮断インダクタの焼損、プリント基板パターンの焼損等の破壊故障が発生することを回避した電子機器、送信システム及び接続状態判定方法を提供することにある。
【課題を解決するための手段】
【００３２】
この発明の概念は、入力信号を供給する第１の信号路と、電圧を供給する第１の電源路と、上記第１の信号路を介して上記入力信号が供給され、上記電源路を介して上記電圧が供給されるコネクタと、上記電圧が重畳された上記入力信号を上記コネクタより受け取る外部機器と、上記第１の電源路に挿入された第１の電源スイッチと、上記コネクタにおける信号の振幅を検出する振幅検出器と、入力信号を供給する第２の信号路と、電圧を供給する第２の電源路と、上記第２の電源路に挿入された第２の電源スイッチと、上記第２の電源路を介して供給される上記電圧を電源とし、上記第２の信号路からの入力信号に対応する出力信号を送信する信号送信部と、上記振幅検出器の検出出力に基づいて、少なくとも、上記コネクタに上記外部機器が接続されていない第１の状態および上記コネクタに上記外部機器が接続されている第２の状態のいずれの接続状態にあるかを判定し、該接続状態に応じて、上記第１及び第２の電源スイッチをオンとオフとに切り換える制御部とを備える電子機器にある。
【００３３】
この発明においては、外部機器（送信ユニット）を接続するためのコネクタが備えられている。このコネクタには、入力信号が第１の信号路を通して供給される。さらに、このコネクタには電圧が第１の電源路を通して供給される。また、この第１の電源路には第１の電源スイッチが挿入されている。
【００３４】
コネクタにおける信号の振幅が検出される。この振幅の検出出力に基づいて、少なくとも２つの接続状態のいずれにあるかが判定される。第１の状態は、コネクタに外部機器が接続されていない状態であり、第２の状態は、コネクタに外部機器が接続されている状態である。検出出力は、第１の状態では第２の状態に比べて信号の振幅が大きくなることから、この検出出力を所定のしきい値と比較することで、第１の状態にあるか第２の状態にあるかを判定できる。
【００３５】
第２の状態にあるとき、第１の電源スイッチはオンとされる。これにより、コネクタには電源直流電圧が重畳された変調ＲＦ信号が出力され、このコネクタに接続されている外部機器の第１の信号送信部から入力信号に対応した出力信号が出力される。
【００３６】
一方、第１の状態にあるとき、第１の電源スイッチはオフとされる。これにより、コネクタに電圧は出力されない。そのため、コネクタに外部機器が接続されていない状態でコネクタに短絡があっても、短絡保護回路の動作、ＲＦ遮断インダクタの焼損、プリント基板パターンの焼損等の破壊故障は発生しない。なお、短絡保護回路は、例えば電圧を得るためのレギュレータに備えられている。
【００３７】
コネクタにおける信号の振幅の検出出力に基づいて、さらに、コネクタが短絡されている第３の状態にあるか否かが判定される。第３の状態にあるとき、検出出力は０となることから、この検出出力を所定のしきい値と比較することで、第３の状態にあるか否かを判定できる。第３の状態にあるとき、第１の電源スイッチはオフとされる。これにより、コネクタに外部機器が接続されている状態でコネクタに短絡があっても、直ちにこのコネクタに電圧が出力されない状態となり、短絡保護回路の動作、ＲＦ遮断インダクタの焼損、プリント基板パターンの焼損等の破壊故障は発生しない。
【００３８】
例えば、第３の状態にあるとき、短絡異常の警告が報知される。この報知は、ディスプレイによる表示、スピーカからの音声出力、発光素子の発光、ブザー音の発生等によってなされる。これにより、ユーザはコネクタの短絡異常を容易に認識でき、それに対処できる。
【００３９】
例えば、第２の信号送信部と、この第２の信号送信部に入力信号を供給する第２の信号路と、第２の信号送信部に電圧を供給する第２の電源路と、この第２の電源路に挿入された第２の電源スイッチとをさらに備えるものにあっては、第１の状態にあるとき第２の電源スイッチはオンとされ、第２の状態にあると判定されるとき第２の電源スイッチはオフとされる。
【００４０】
これにより、コネクタに外部機器が接続されていない状態では、電子機器に内蔵の第２の信号送信部から入力信号に対応した出力信号が出力される。一方、コネクタに外部機器が接続されている状態では、この外部機器の第１の信号送信部から入力信号に対応した出力信号が出力され、電子機器に内蔵の第１の信号送信部からは信号は出力されない。これにより、外部機器の第１の信号送信部と電子機器に内蔵の第２の信号送信部との両方から同時に出力信号が出力されるという無駄な電力消費状態を回避できる。
【発明の効果】
【００４１】
この発明によれば、コネクタにおける入力信号の振幅を検出し、この振幅の検出出力に基づいて、少なくとも、コネクタに外部機器が接続されているかいないかを判定することができる。さらに、コネクタに外部機器が接続されているときは、コネクタに電圧を供給するため、外部機器の未接続時に、コネクタの短絡によって短絡保護回路の動作、ＲＦ遮断インダクタの焼損、プリント基板パターンの焼損等の破壊故障が発生することを回避できる。
【発明を実施するための最良の形態】
【００４２】
この発明の第１の実施の形態について説明する。図１は、第１の実施の形態としての赤外線光送信装置１００Ａの構成を示している。
【００４３】
図示しない電源回路で得られる例えば１２Ｖの電源直流電圧ＤＣ１はレギュレータ１０２に供給され、このレギュレータ１０２からは例えば９Ｖの安定化された電源直流電圧ＤＣ２が得られる。
【００４４】
レギュレータ１０２の出力側は、赤外線発光ダイオード１０３(1,1)〜１０３(n,1)の直列回路を介してドライブ用のＮＰＮ形トランジスタ１０４(1)のコレクタに接続され、このトランジスタ１０４(1)のエミッタは接地されている。また、レギュレータ１０２の出力側は、赤外線発光ダイオード１０３(1,m)〜１０３(n,m)の直列回路を介してドライブ用のＮＰＮ形トランジスタ１０４(m)のコレクタに接続され、このトランジスタ１０４(m)のエミッタは接地されている。ここで、例えばｎ＝３、ｍ＝４とされる。これらｎ×ｍ個の赤外線発光ダイオード１０３(1,1)〜１０３(n,m)により、赤外線光送信部１０１が構成されている。
【００４５】
上述したようにレギュレータ１０２から赤外線光送信部１０１に電源直流電圧ＤＣ２を供給する電源路１０５には電源スイッチ１０６が挿入されている。ここで、電源路１０５は第２の電源路を構成し、電源スイッチ１０６は第２の電源スイッチを構成している。
【００４６】
図示しない変調回路で得られる変調ＲＦ信号ＭＲＦはアンプ１０７で増幅される。このアンプ１０７の出力側はトランジスタ１０４(1)〜１０４(m)のそれぞれのベースに接続される。ここで、変調ＲＦ信号ＭＲＦは、例えば、搬送波を音声データあるいは画像データ等でデジタル変調することで得られたものであり、振幅一定とされている。このアンプ１０７が挿入された信号路は、赤外線光送信部１０１に変調ＲＦ信号ＭＲＦを供給する第２の信号路を構成している。
【００４７】
また、図示しない変調回路で得られる変調ＲＦ信号ＭＲＦは、アンプ１０８で増幅される。このアンプ１０８の出力側は、出力抵抗１０９および直流遮断コンデンサ１１０の直列回路を介してコネクタ（ジャック）１１１に接続される。このアンプ１０８、出力抵抗１０９および直流遮断コンデンサ１１０が挿入された信号路は、コネクタ１１１に変調ＲＦ信号ＭＲＦを供給する第１の信号路を構成している。
【００４８】
また、上述のレギュレータ２０２の出力側は、電源スイッチ１１２およびＲＦ遮断インダクタ１１３を介してコネクタ１１１に接続される。ここで、電源スイッチ１１２は第１の電源スイッチを構成し、これら電源スイッチ１１２およびＲＦ遮断インダクタ１１３が挿入された電源路１１４はコネクタ１１１に電源直流電圧ＤＣ２を供給する第１の電源路を構成している。
【００４９】
また、コネクタ１１１は、直流遮断コンデンサ１２１を介して、インピーダンス変換器１２２、アンプ１２３およびＲＦ検波器１２４の直列回路の入力側に接続される。直流遮断コンデンサ１２１は、コネクタ１１１に出力される変調ＲＦ信号ＭＲＦのみを取り出すフィルタを構成している。インピーダンス変換器１２２、アンプ１２３およびＲＦ検波器１２４の直列回路は、変調ＲＦ信号ＭＲＦの振幅を検出する振幅検出部を構成している。
【００５０】
インピーダンス変換器１２２は、入力が高インピーダンスで出力が低インピーダンスの変換器である。入力が高インピーダンスであるために、変調ＲＦ信号ＭＲＦに影響を及ぼさずに、当該変調ＲＦ信号ＭＲＦの振幅検出が可能となる。アンプ１２３は、インピーダンス変換器１２２で低インピーダンスに変換された変調ＲＦ信号ＭＲＦの振幅を増幅する。ＲＦ検波器１２４は、アンプ１２３で増幅された変調ＲＦ信号ＭＲＦを検波し、振幅に比例した直流電圧ＶＤを出力する。
【００５１】
また、ＲＦ検波器１２４の出力側はコンパレータ１２５，１２６の正入力端子に接続される。コンパレータ１２５の負入力端子には、基準電圧Ｖth1が供給される。この基準電圧Ｖth1の値は、次に挙げる２つの値の中間値に設定される。それら２つの値は、コネクタ１１１に赤外線光送信ユニットが接続されていない状態（状態Ａ）におけるＲＦ検波器１２４の出力直流電圧ＶＤの値と、コネクタ１１１に赤外線光送信ユニットが接続されている状態（状態Ｂ）におけるＲＦ検波器１２４の出力直流電圧ＶＤの値である。
【００５２】
このコンパレータ１２５の出力ＣＭＰ１は、ＲＦ検波器１２４の出力直流電圧ＶＤの値が基準電圧Ｖth1の値より大きいときはハイレベル「Ｈ」となり、逆にＲＦ検波器１２４の出力直流電圧ＶＤの値が基準電圧Ｖth1の値以下のときはローレベル「Ｌ」となる。これにより、コンパレータ１２５の出力を利用して状態Ａおよび状態Ｂのいずれにあるかを判定することが可能となる。
【００５３】
コンパレータ１２６の負入力端子には、基準電圧Ｖth2が供給される。この基準電圧Ｖth2の値は、次に挙げる２つの値の中間値に設定される。それら２つの値は、コネクタ１１１に赤外線光送信ユニットが接続されている状態（状態Ｂ）におけるＲＦ検波器１２４の出力直流電圧ＶＤの値と、コネクタ１１１が短絡されている状態（状態Ｃ）におけるＲＦ検波器１２４の出力直流電圧ＶＤの値である。
【００５４】
このコンパレータ１２６の出力ＣＭＰ２は、ＲＦ検波器１２４の出力直流電圧ＶＤの値が基準電圧Ｖth2の値より大きいときはハイレベル「Ｈ」となり、逆にＲＦ検波器１２４の出力直流電圧ＶＤの値が基準電圧Ｖth2の値以下のときはローレベル「Ｌ」となる。これにより、コンパレータ１２６の出力を利用して状態Ｃにあるか否かを判定することが可能となる。
【００５５】
また、赤外線光送信装置１００Ａは、システムコントローラ１２７を有している。このシステムコントローラ１２７は制御部を構成している。上述したコンパレータ１２５，１２６の出力ＣＭＰ１，ＣＭＰ２はシステムコントローラ１２７に供給される。このシステムコントローラ１２７は、コンパレータ１２５，１２６の出力ＣＭＰ１，ＣＭＰ２に基づいて、電源スイッチ１０６，１１２のオンオフを制御する。
【００５６】
すなわち、コンパレータ１２５，１２６の出力ＣＭＰ１，ＣＭＰ２が双方ともハイレベル「Ｈ」となるとき、電源スイッチ１０６をオンとし、電源スイッチ１１２をオフとする。コンパレータ１２５の出力ＣＭＰ１がローレベル「Ｌ」で、コンパレータ１２６の出力ＣＭＰ２がハイレベル「Ｈ」となるとき、電源スイッチ１０６をオフとし、電源スイッチ１１２をオンとする。コンパレータ１２５，１２６の出力ＣＭＰ１，ＣＭＰ２が双方ともローレベル「Ｌ」となるとき、電源スイッチ１０６を短絡前の状態に保持し、電源スイッチ１１２をオフとする。
【００５７】
また、システムコントローラ１２７は、コネクタ１１１が短絡されている状態（状態Ｃ）にあってコンパレータ１２６の出力ＣＭＰ２がローレベル「Ｌ」にあるときは、短絡異常の警告がディスプレイに表示されるようにビデオ系を制御する。
【００５８】
次に、図１を参照して、この赤外線光送信装置１００Ａのコネクタ（ジャック）１１１に接続される赤外線光送信ユニット１５０の構成を説明する。
【００５９】
接続ケーブル１５２の、コネクタ（プラグ）１５３が接続されている端部とは逆の端部は、ＲＦ遮断インダクタ１５４の一端に接続される。このＲＦ遮断インダクタ１５４の他端は、赤外線発光ダイオード１５５(1,1)〜１５５(n,1)の直列回路を介してドライブ用のＮＰＮ形トランジスタ１５６(1)のコレクタに接続され、このトランジスタ１５６(1)のエミッタは接地されている。また、ＲＦ遮断インダクタ１５４の他端は、赤外線発光ダイオード１５５(1,m)〜１５５(n,m)の直列回路を介してドライブ用のＮＰＮ形トランジスタ１５６(m)のコレクタに接続され、このトランジスタ１５６(m)のエミッタは接地されている。ここで、例えばｎ＝３、ｍ＝４とされる。そして、ｎ×ｍ個の赤外線発光ダイオード１５５(1,1)〜１５５(n,m)により、赤外線光送信部１５１が構成されている。
【００６０】
また、接続ケーブル１５２の、コネクタ１５３が接続されている端部とは逆の端部は、直流遮断コンデンサ１５７および入力抵抗１５８の直列回路を介して接地され、このコンデンサ１５７および抵抗１５８の互いの接続点はアンプ１５９を介してトランジスタ１５６(1)〜１５６(m)のそれぞれのベースに接続される。
【００６１】
この赤外線光送信ユニット１５０の動作を説明する。
【００６２】
コネクタ（プラグ）１５３が赤外線光送信装置１００Ａのコネクタ（ジャック）１１１に接続された場合、接続ケーブル１５２の、コネクタ１５３が接続されている端部とは逆の端部には、電源直流電圧ＤＣ２が重畳された変調ＲＦ信号ＭＲＦが得られる。そのため、ＲＦ遮断インダクタ１５４の他端には電源直流電圧ＤＣ２が得られる。この電源直流電圧ＤＣ２は赤外線光送信部１５１に電源として供給される。
【００６３】
また、直流遮断コンデンサ１５７および入力抵抗１５８の互いの接続点には、変調ＲＦ信号ＭＲＦが得られる。この変調ＲＦ信号ＭＲＦはアンプ１５９で増幅された後にトランジスタ１５６(1)〜１５６(m)のベースにドライブ信号として供給される。これにより、ダイオード１５５(1,1)〜１５５(n,m)は変調ＲＦ信号ＭＲＦに対応して発光し、赤外線光送信部１５１から変調ＲＦ信号ＭＲＦに対応した赤外線信号ＳＩＲが出力される。
【００６４】
次に、上述した赤外線光送信装置１００Ａの動作を説明する。
【００６５】
（ａ）コネクタ１１１に赤外線光送信ユニット１５０が接続されていない状態（状態Ａ）の動作を説明する。
【００６６】
この場合、アンプ１０８の出力側における変調ＲＦ信号ＭＲＦの振幅がＶppであるとき、コネクタ１１１の変調ＲＦ信号ＭＲＦの振幅はＶppであり、インピーダンス変換器１２２の出力振幅はＶppであり、アンプ１２３の出力振幅はＧＶpp（Ｇはアンプ１２３の電圧利得）であり、ＲＦ検波器１２４の出力直流電圧ＶＤはＫＧＶpp（ＫはＲＦ検波器１２４の検波変換効率ファクタ）となる。
【００６７】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれハイレベル「Ｈ」となる。システムコントローラ１２７は、コネクタ１１１に赤外線光送信ユニット１５０が接続されていない状態（状態Ａ）にあると判定し、電源スイッチ１０６をオンとし、電源スイッチ１１２をオフとする。
【００６８】
そのため、レギュレータ１０２で得られた電源直流電圧ＤＣ２は、電源スイッチ１０６を通じて赤外線光送信部１０１に電源として供給される。また、変調回路で得られる変調ＲＦ信号ＭＲＦはアンプ１０７で増幅された後にトランジスタ１０４(1)〜１０４(m)のベースにドライブ信号として供給される。これにより、ダイオード１０３(1,1)〜１０３(n,m)は変調ＲＦ信号ＭＲＦに対応して発光し、内蔵の赤外線光送信部１０１から変調ＲＦ信号ＭＲＦに対応した赤外線信号ＳＩＲが出力される。
【００６９】
なお、変調回路で得られる変調ＲＦ信号は、アンプ１０８で増幅された後に、出力抵抗１０９および直流遮断コンデンサ１１０の直列回路を介してコネクタ１１１に供給される。ただし、電源スイッチ１１２がオフとされるので、レギュレータ１０２で得られた電源直流電圧ＤＣ２がコネクタ１１１に供給されることはない。
【００７０】
（ｂ）コネクタ１１１に赤外線光送信ユニット１５０が接続されている状態（状態Ｂ）の動作を説明する。
【００７１】
この場合、アンプ１０８の出力側における変調ＲＦ信号ＭＲＦの振幅がＶppであるとき、コネクタ１１１の変調ＲＦ信号ＭＲＦの振幅は｛Ｒi／（Ｒo＋Ｒi）｝・Ｖppであり、インピーダンス変換器１２２の出力振幅は｛Ｒi／（Ｒo＋Ｒi）｝・Ｖppであり、アンプ１２３の出力振幅は｛Ｒi／（Ｒo＋Ｒi）｝・ＧＶppであり、ＲＦ検波器１２４の出力直流電圧ＶＤは｛Ｒi／（Ｒo＋Ｒi）｝・ＫＧＶppとなる。
【００７２】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５の出力ＣＭＰ１はローレベル「Ｌ」、コンパレータ１２６の出力ＣＭＰ２はハイレベル「Ｈ」となる。システムコントローラ１２７は、コネクタ１１１に赤外線光送信ユニット１５０が接続されている状態（状態Ｂ）にあると判定し、電源スイッチ１０６をオフとし、電源スイッチ１１２をオンとする。
【００７３】
そのため、レギュレータ１０２で得られた電源直流電圧ＤＣ２は、電源スイッチ１１２およびＲＦ遮断インダクタ１１３介してコネクタ１１１に供給される。変調回路で得られる変調ＲＦ信号は、アンプ１０８で増幅された後に、出力抵抗１０９および直流遮断コンデンサ１１０の直列回路を介してコネクタ１１１に供給される。これにより、コネクタ１１１には、電源直流電圧ＤＣ２が重畳された変調ＲＦ信号ＭＲＦが出力される。
【００７４】
このようにコネクタ１１１には、電源直流電圧ＤＣ２が重畳された変調ＲＦ信号ＭＲＦが出力される。そのため、このコネクタ１１１に接続される赤外線光送信ユニット１５０の赤外線光送信部１５１から変調ＲＦ信号ＭＲＦに対応した赤外線信号ＳＩＲが出力される。
【００７５】
なお、電源スイッチ１０６がオフとされるので、レギュレータ１０２で得られた電源直流電圧ＤＣ２は内蔵の赤外線光送信部１０１に供給されることはない。そのため、ダイオード１０３(1,1)〜１０３(n,m)は発光せず、従ってこの赤外線光送信部１０１から変調ＲＦ信号ＭＲＦに対応した赤外線信号ＳＩＲは出力されない。
【００７６】
（ｃ）コネクタ１１１が短絡されている状態（状態Ｃ）の動作を説明する。
【００７７】
この場合、アンプ１０８の出力側における変調ＲＦ信号ＭＲＦの振幅がＶppであるとき、コネクタ１１１の変調ＲＦ信号ＭＲＦの振幅は０であり、インピーダンス変換器１２２の出力振幅は０であり、アンプ１２３の出力振幅は０であり、ＲＦ検波器１２４の出力直流電圧ＶＤは０となる。
【００７８】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれローレベル「Ｌ」となる。システムコントローラ１２７は、コネクタ１１１が短絡されている状態（状態Ｃ）にあると判定し、電源スイッチ１０６を短絡前の状態に保持し、電源スイッチ１１２をオフとする。
【００７９】
そのため、レギュレータ１０２で得られた電源直流電圧ＤＣ２は、コネクタ１１１に供給されない。なお、変調回路で得られる変調ＲＦ信号は、アンプ１０８で増幅された後に、出力抵抗１０９および直流遮断コンデンサ１１０の直列回路を介してコネクタ１１１に供給される。
【００８０】
また、電源スイッチ１０６は短絡前の状態に保持される。そのため、赤外線光送信ユニット１５０が接続されていない状態（状態Ａ）にあって電源スイッチ１０６がオンにあったとき、電源スイッチ１０６は、コネクタ１１１が短絡された後もオン状態を保持する。また、赤外線光送信ユニット１５０が接続されている状態（状態Ｂ）にあって電源スイッチ１０６がオフにあったとき、電源スイッチ１０６は、コネクタ１１１が短絡された後もオフ状態を保持する。
【００８１】
また、システムコントローラ１２７は、上述したようにコネクタ１１１が短絡されている状態（状態Ｃ）にあると判定するとき、ビデオ系を制御する。これにより、ディスプレイに短絡異常の警告が表示される。
【００８２】
図２は、上述した各状態における各回路の動作をまとめて示したものである。図３は、状態Ａと状態Ｂの変化におけるコンパレータ１２５，１２６の出力ＣＭＰ１，ＣＭＰ２および電源スイッチ１１２，１０６の変化を示している。また、図４は、状態Ａと状態Ｃの変化におけるコンパレータ１２５，１２６の出力ＣＭＰ１，ＣＭＰ２の変化および電源スイッチ１１２，１０６の変化を示している。
【００８３】
上述した赤外線光送信装置１００Ａによれば、コネクタ１１１に赤外線光送信ユニット１５０が接続されていない状態（状態Ａ）では、電源スイッチ１１２がオフとされ、コネクタ１１１に電源直流電圧ＤＣ２が出力されない。そのため、このコネクタ１１１の短絡があっても、このコネクタ１１１に電源直流電圧が出力されていないことから、レギュレータ１０２内の短絡保護回路の動作、ＲＦ遮断インダクタ１１０の焼損、プリント基板パターンの焼損等の破壊故障は発生しない。
【００８４】
また、上述した赤外線光送信装置１００Ａによれば、コネクタ１１１に赤外線光送信ユニット１５０が接続されている状態（状態Ｂ）では、電源スイッチ１０６がオフとされ、内蔵の赤外線光送信部１０１から変調ＲＦ信号に対応した赤外線信号ＳＩＲが出力されない状態となり、赤外線光送信ユニット１５０の赤外線光送信部１５１の他に内蔵の赤外線光送信部１０１からも赤外線信号ＳＩＲが出力されるという無駄な電力消費状態を回避できる。
【００８５】
また、上述した赤外線光送信装置１００Ａによれば、コネクタ１１１が短絡された状態（状態Ｃ）では、電源スイッチ１１２がオフとされ、コネクタ１１１に電源直流電圧ＤＣ２が出力されない。そのため、コネクタ１１１に赤外線光送信ユニット１５０が接続されている状態でこのコネクタ１１１に短絡があっても、直ちにこのコネクタ１１１に電源直流電圧ＤＣ２が出力されない状態となり、レギュレータ１０２の短絡保護回路の動作、ＲＦ遮断インダクタ１１０の焼損、プリント基板パターンの焼損等の破壊故障は発生しない。
【００８６】
また、上述した赤外線光送信装置１００Ａによれば、コネクタ１１１が短絡された状態（状態Ｃ）では、ビデオ系が制御され、ディスプレイに短絡異常の警告が表示される。これにより、ユーザはコネクタ１１１の短絡異常を容易に認識でき、それに対処できる。
【００８７】
次に、この発明の第２の実施の形態について説明する。図５は、第２の実施の形態としての赤外線光送信装置１００Ｂの構成を示している。
【００８８】
この赤外線光送信装置１００Ｂは、上述した赤外線光送信装置１００Ａにおいて赤外線発光ダイオード１０３(1,1)〜１０３(n,m)、トランジスタ１０４(1)〜１０４(m)、電源スイッチ１０６およびアンプ１０７の部分が除かれたものと同じ構成である。
【００８９】
この赤外線光送信装置１００Ｂの動作を説明する。
【００９０】
（ａ′）コネクタ１１１に赤外線光送信ユニット１５０が接続されていない状態（状態Ａ）の動作を説明する。
【００９１】
この場合、アンプ１０８の出力側における変調ＲＦ信号ＭＲＦの振幅がＶppであるとき、コネクタ１１１の変調ＲＦ信号ＭＲＦの振幅はＶppであり、インピーダンス変換器１２２の出力振幅はＶppであり、アンプ１２３の出力振幅はＧＶpp（Ｇはアンプ１２３の電圧利得）であり、ＲＦ検波器１２４の出力直流電圧ＶＤはＫＧＶpp（ＫはＲＦ検波器１２４の検波変換効率ファクタ）となる。
【００９２】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれハイレベル「Ｈ」となる。システムコントローラ１２７は、コネクタ１１１に赤外線光送信ユニット１５０が接続されていない状態（状態Ａ）にあると判定し、電源スイッチ１１２をオフとする。
【００９３】
そのため、レギュレータ１０２で得られた電源直流電圧ＤＣ２はコネクタ１１１に供給されない。なお、変調回路で得られる変調ＲＦ信号は、アンプ１０８で増幅された後に、出力抵抗１０９および直流遮断コンデンサ１１０の直列回路を介してコネクタ１１１に供給される。
【００９４】
（ｂ′）コネクタ１１１に赤外線光送信ユニット１５０が接続されている状態（状態Ｂ）の動作を説明する。
【００９５】
この場合、アンプ１０８の出力側における変調ＲＦ信号ＭＲＦの振幅がＶppであるとき、コネクタ１１１の変調ＲＦ信号ＭＲＦの振幅は｛Ｒi／（Ｒo＋Ｒi）｝・Ｖppであり、インピーダンス変換器１２２の出力振幅は｛Ｒi／（Ｒo＋Ｒi）｝・Ｖppであり、アンプ１２３の出力振幅は｛Ｒi／（Ｒo＋Ｒi）｝・ＧＶppであり、ＲＦ検波器１２４の出力直流電圧ＶＤは｛Ｒi／（Ｒo＋Ｒi）｝・ＫＧＶppとなる。
【００９６】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５の出力ＣＭＰ１はローレベル「Ｌ」、コンパレータ１２６の出力ＣＭＰ２はハイレベル「Ｈ」となる。システムコントローラ１２７は、コネクタ１１１に赤外線光送信ユニット１５０が接続されている状態（状態Ｂ）にあると判定し、電源スイッチ１１２をオンとする。
【００９７】
そのため、レギュレータ１０２で得られた電源直流電圧ＤＣ２は、電源スイッチ１１２およびＲＦ遮断インダクタ１１３介してコネクタ１１１に供給される。変調回路で得られる変調ＲＦ信号は、アンプ１０８で増幅された後に、出力抵抗１０９および直流遮断コンデンサ１１０の直列回路を介してコネクタ１１１に供給される。これにより、コネクタ１１１には、電源直流電圧ＤＣ２が重畳された変調ＲＦ信号ＭＲＦが出力される。
【００９８】
このようにコネクタ１１１には、電源直流電圧ＤＣ２が重畳された変調ＲＦ信号ＭＲＦが出力される。そのため、このコネクタ１１１に接続される赤外線光送信ユニット１５０の赤外線光送信部１５１から変調ＲＦ信号ＭＲＦに対応した赤外線信号ＳＩＲが出力される。
【００９９】
（ｃ′）コネクタ１１１が短絡されている状態（状態Ｃ）の動作を説明する。
【０１００】
この場合、アンプ１０８の出力側における変調ＲＦ信号ＭＲＦの振幅がＶppであるとき、コネクタ１１１の変調ＲＦ信号ＭＲＦの振幅は０であり、インピーダンス変換器１２２の出力振幅は０であり、アンプ１２３の出力振幅は０であり、ＲＦ検波器１２４の出力直流電圧ＶＤは０となる。
【０１０１】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれローレベル「Ｌ」となる。システムコントローラ１２７は、コネクタ１１１が短絡されている状態（状態Ｃ）にあると判定し、電源スイッチ１１２をオフとする。
【０１０２】
そのため、レギュレータ１０２で得られた電源直流電圧ＤＣ２は、コネクタ１１１に供給されない。なお、変調回路で得られる変調ＲＦ信号は、アンプ１０８で増幅された後に、出力抵抗１０９および直流遮断コンデンサ１１０の直列回路を介してコネクタ１１１に供給される。
【０１０３】
また、システムコントローラ１２７は、上述したようにコネクタ１１１が短絡されている状態（状態Ｃ）にあると判定するとき、ビデオ系を制御する。これにより、ディスプレイに短絡異常の警告が表示される。
【０１０４】
上述した赤外線光送信装置１００Ｂによれば、コネクタ１１１に赤外線光送信ユニット１５０が接続されていない状態（状態Ａ）では、電源スイッチ１１２がオフとされ、コネクタ１１１に電源直流電圧ＤＣ２が出力されない。そのため、このコネクタ１１１の短絡があっても、このコネクタ１１１に電源直流電圧が出力されていないことから、レギュレータ１０２内の短絡保護回路の動作、ＲＦ遮断インダクタ１１０の焼損、プリント基板パターンの焼損等の破壊故障は発生しない。
【０１０５】
また、上述した赤外線光送信装置１００Ｂによれば、コネクタ１１１が短絡された状態（状態Ｃ）では、電源スイッチ１１２がオフとされ、このコネクタ１１１に電源直流電圧ＤＣ２が出力されない。そのため、コネクタ１１１に赤外線光送信ユニット１５０が接続されている状態でこのコネクタ１１１に短絡があっても、直ちにこのコネクタ１１１に電源直流電圧ＤＣ２が出力されない状態となり、レギュレータ１０２の短絡保護回路の動作、ＲＦ遮断インダクタ１１０の焼損、プリント基板パターンの焼損等の破壊故障は発生しない。
【０１０６】
また、上述した赤外線光送信装置１００Ｂによれば、コネクタ１１１が短絡された状態（状態Ｃ）では、ビデオ系が制御され、ディスプレイに短絡異常の警告が表示される。これにより、ユーザはコネクタ１１１の短絡異常を容易に認識でき、それに対処できる。
【０１０７】
なお、上述実施の形態においては、短絡異常の警告をディスプレイに表示するものを示したが、その他の報知部で短絡異常をユーザに報知するものにもこの発明を同様に適用できる。例えば、スピーカからの音声出力、発光素子の発光、ブザー音の発生等によって、短絡異常を警告が報知されるようにしてもよい。
【０１０８】
また、上述せずも、赤外線光送信ユニット１５０がコネクタ１１１に接続されているという接続情報を、システムコントローラ１２７を介して、機器内部の機能、信号処理に応用することもできる。例えば、５．１チャネルサラウンドにおけるリア音声を赤外線光送信で送るものにあっては、上述の接続情報をサラウンドの選択であると認識し、機器内部の機能、信号処理を変更できる。
【産業上の利用可能性】
【０１０９】
この発明は、光送信ユニットの未接続時に、コネクタの短絡によって短絡保護回路の動作、ＲＦ遮断インダクタの焼損、プリント基板パターンの焼損等の破壊故障が発生することを回避できるものであり、赤外線光送信ユニットを接続するコネクタを備えた赤外線光送信装置に適用できる。
【図面の簡単な説明】
【０１１０】
【図１】第１の実施の形態としての赤外線光送信装置の構成を示す接続図である。
【図２】赤外線光送信装置の各状態における各回路の動作を示す図である。
【図３】コネクタに赤外線光送信ユニットを接続していない状態（状態Ａ）とコネクタに赤外線光送信ユニットを接続している状態（状態Ｂ）との変化におけるコンパレータの出力および電源スイッチのオンオフの変化を示すタイミングチャートである。
【図４】コネクタに赤外線光送信ユニットを接続していない状態（状態Ａ）とコネクタが短絡した状態（状態Ｃ）との変化におけるコンパレータの出力および電源スイッチのオンオフの変化を示すタイミングチャートである。
【図５】第２の実施の形態としての赤外線光送信装置の構成を示す接続図である。
【図６】従来の赤外線光送信装置（赤外線光送信部を有する）の構成を示す図である。
【図７】従来の赤外線光送信装置（赤外線光送信部を有する）の回路構成を示す接続図である。
【図８】従来の赤外線光送信装置（赤外線光送信部を有しない）の構成を示す図である。
【図９】従来の赤外線光送信装置（赤外線光送信部を有しない）の回路構成を示す接続図である。
【符号の説明】
【０１１１】
１００Ａ，１００Ｂ・・・赤外線光送信装置、１０１・・・赤外線光送信部、１０２・・・レギュレータ、１０３(1,1)〜１０３(n,m)・・・赤外線発光ダイオード、１０４(1)〜１０４(m)・・・ドライブ用のＮＰＮ形トランジスタ、１０５，１１４・・・電源路、１０６，１１２・・・電源スイッチ、１０７，１０８，１２３・・・アンプ、１０９・・・出力抵抗、１１０，１２１・・・直流遮断コンデンサ、１１１・・・コネクタ（ジャック）、１１３・・・ＲＦ遮断インダクタ、１２２・・・インピーダンス変換器、１２４・・・ＲＦ変換器、１２５，１２６・・・コンパレータ、１２７・・・システムコントローラ、１５０・・・赤外線光送信ユニット、１５１・・・赤外線光送信部、１５２・・・接続ケーブル、１５３・・・コネクタ（プラグ）、１５４・・・ＲＦ遮断インダクタ、１５５(1,1)〜１５５(n,m)・・・赤外線発光ダイオード、１５６(1)〜１５６(m)・・・ドライブ用のＮＰＮ形トランジスタ、１５７・・・直流遮断コンデンサ、１５８・・・入力抵抗、１５９・・・アンプ
【図１】
0004508080.tif 000002
【図２】
0004508080.tif 000003
【図３】
0004508080.tif 000004
【図４】
0004508080.tif 000005
【図５】
0004508080.tif 000006
【図６】
0004508080.tif 000007
【図７】
0004508080.tif 000008
【図８】
0004508080.tif 000009
【図９】
0004508080.tif 000010